(57)【要約】【課題】プロトコル処理の複雑さを軽減し、効率的に通信を行うことができる端末装置、方法、および集積回路に関する技術を提供すること。【解決手段】基地局と通信を行う端末装置であって、基地局装置から無線ベアラ設定を含むＲＲＣ再設定メッセージを受信する受信部と、無線ベアラ設定に、解放する無線ベアラ識別子リストが含まれる場合には、無線ベアラ解放処理を行い、無線ベアラ解放処理において、解放する無線ベアラ識別子リストに含まれる無線ベアラ識別子のうち、端末装置の現在の設定の一部である各無線ベアラ識別子に対し、無線ベアラ識別子に対応するＰＤＣＰエンティティを解放し、無線ベアラ識別子に対応するＳＤＡＰエンティティを再設定する処理部と、を有する端末装置。【選択図】図２０
2019197967.tif 000002
【特許請求の範囲】
【請求項１】
基地局装置と通信と行う端末装置であって、
前記基地局装置から無線ベアラ設定を含むＲＲＣ再設定メッセージを受信する受信部と、
前記無線ベアラ設定に、解放する無線ベアラ識別子リストが含まれる場合には、
無線ベアラ解放処理を行い、
前記無線ベアラ解放処理において、
前記解放する無線ベアラ識別子リストに含まれる無線ベアラ識別子のうち、前記端末装置の現在の設定の一部である各無線ベアラ識別子に対し、前記無線ベアラ識別子に対応するＰＤＣＰエンティティを解放し、
前記無線ベアラ識別子に対応するＳＤＡＰエンティティを再設定する処理部と、を有する、
端末装置。
【請求項２】
端末装置と通信と行う基地局装置であって、
前記端末装置に無線ベアラ設定を含むＲＲＣ再設定メッセージを送信する送信部と、
前記無線ベアラ設定に、解放する無線ベアラ識別子リストに含めて、前記端末装置に、無線ベアラ解放処理を行わせる処理部と、を有し、
前記無線ベアラ解放処理において、
前記解放する無線ベアラ識別子リストに含まれる無線ベアラ識別子のうち、前記端末装置の現在の設定の一部である各無線ベアラ識別子に対し、前記無線ベアラ識別子に対応する前記端末装置のＰＤＣＰエンティティは、解放され、
前記無線ベアラ識別子に対応する前記端末装置のＳＤＡＰエンティティは、再設定される、
基地局装置。
【請求項３】
基地局装置と通信と行う端末装置であって、
前記基地局装置から無線ベアラ設定を含むＲＲＣ再設定メッセージを受信する受信部と、
前記無線ベアラ設定に、解放する無線ベアラ識別子リストが含まれる場合には、
無線ベアラ解放処理を行い、
前記無線ベアラ解放処理において、
前記解放する無線ベアラ識別子リストに含まれる無線ベアラ識別子のうち、前記端末装置の現在の設定の一部である各無線ベアラ識別子に対し、
前記無線ベアラ識別子に対応するＰＤＣＰエンティティを解放し、
前記ＲＲＣ再設定に同期を伴う再設定を示す情報が含まれる場合には、同期を伴う再設定が成功した後にＳＤＡＰエンティティの再設定を行い、
前記ＲＲＣ再設定に同期を伴う再設定を示す情報が含まれない場合には、直ちにＳＤＡＰエンティティの再設定を行う処理部と、を有する、
端末装置。
【請求項４】
前記処理部はＥＮ−ＤＣを動作していない場合に処理を行う、請求項１又は請求項３に記載の端末装置。
【請求項５】
基地局装置と通信と行う端末装置の方法であって、
前記基地局装置から無線ベアラ設定を含むＲＲＣ再設定メッセージを受信し、
前記無線ベアラ設定に、解放する無線ベアラ識別子リストが含まれる場合には、
無線ベアラ解放処理を行い、
前記無線ベアラ解放処理において、
前記解放する無線ベアラ識別子リストに含まれる無線ベアラ識別子のうち、前記端末装置の現在の設定の一部である各無線ベアラ識別子に対し、前記無線ベアラ識別子に対応するＳＤＡＰエンティティを再設定し、
前記無線ベアラ識別子に対応するＰＤＣＰエンティティを解放する、
方法。
【請求項６】
端末装置と通信と行う基地局装置の方法であって、
前記端末装置に無線ベアラ設定を含むＲＲＣ再設定メッセージを送信し、
前記無線ベアラ設定に、解放する無線ベアラ識別子リストに含めて、前記端末装置に、無線ベアラ解放処理を行わせ、
前記無線ベアラ解放処理において、
前記解放する無線ベアラ識別子リストに含まれる無線ベアラ識別子のうち、前記端末装置の現在の設定の一部である各無線ベアラ識別子に対し、前記無線ベアラ識別子に対応する前記端末装置のＰＤＣＰエンティティは、解放され、
前記無線ベアラ識別子に対応する前記端末装置のＳＤＡＰエンティティは、再設定される、
方法。
【発明の詳細な説明】
【技術分野】
【０００１】
本発明は、端末装置、基地局装置、方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  “Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３７４,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００,  “ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１４．３．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３８．３２４,  “ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【発明の概要】
【発明が解決しようとする課題】
【０００５】
ＮＲの技術検討の一つとして、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当て、端末装置と１つ以上の基地局装置とが通信する仕組み（ＭＲ−ＤＣ：Ｍｕｌｔｉ−ＲＡＴ  Ｄｕａｌ  Ｃｏｎｎｅｃｔｉｖｉｔｙ）が検討されている（非特許文献８）。またＮＲの技術検討の一つとして、ＮＲのみのＲＡＴをのセルをセルグループ化してＵＥに割り当て、端末装置と基地局装置とが通信する仕組み（ＳＡ：Ｓｔａｎｄ  Ａｌｏｎｅ）が検討されている。
【０００６】
しかしながら、Ｅ−ＵＴＲＡ側のコア網を利用し、Ｅ−ＵＴＲＡ側の基地局をマスター基地局としてＭＲ−ＤＣを行うＥＮ−ＤＣ（Ｅ−ＵＴＲＡ−ＮＲ  Ｄｕａｌ  Ｃｏｎｎｅｃｔｉｖｉｔｙ）と、ＮＲ側のコア網を利用するＭＲ−ＤＣやＳＡとでは、利用する通信プロトコルのフォーマットや機能が異なるため、基地局装置と端末装置との通信を効率的に行うことができないという課題があった。
【０００７】
本発明の一態様は、上記した事情に鑑みてなされたもので、基地局装置との通信を効率的に行うことができる端末装置、基地局装置、該端末装置に用いられる方法、該端末装置に実装される集積回路を提供することを目的の一つとする。
【課題を解決するための手段】
【０００８】
上記の目的を達成するために、本発明の一態様は、以下のような手段を講じた。すなわち、本発明の一態様は、基地局と通信を行う端末装置であって、前記基地局装置から無線ベアラ設定を含むＲＲＣ再設定メッセージを受信する受信部と、前記無線ベアラ設定に、解放する無線ベアラ識別子リストが含まれる場合には、無線ベアラ解放処理を行い、前記無線ベアラ解放処理において、前記解放する無線ベアラ識別子リストに含まれる無線ベア
ラ識別子のうち、前記端末装置の現在の設定の一部である各無線ベアラ識別子に対し、前記無線ベアラ識別子に対応するＰＤＣＰエンティティを解放し、前記無線ベアラ識別子に対応するＳＤＡＰエンティティを再設定する処理部と、を有する。
【０００９】
また本発明の一態様は、端末装置と通信と行う基地局装置であって、前記端末装置に無線ベアラ設定を含むＲＲＣ再設定メッセージを送信する送信部と、前記無線ベアラ設定に、解放する無線ベアラ識別子リストに含めて、前記端末装置に、無線ベアラ解放処理を行わせる処理部と、を有し、前記無線ベアラ解放処理において、前記解放する無線ベアラ識別子リストに含まれる無線ベアラ識別子のうち、前記端末装置の現在の設定の一部である各無線ベアラ識別子に対し、前記無線ベアラ識別子に対応する前記端末装置のＰＤＣＰエンティティは、解放され、前記無線ベアラ識別子に対応する前記端末装置のＳＤＡＰエンティティは、再設定される。
【００１０】
また本発明の一態様は、基地局と通信を行う端末装置であって、基地局装置と通信と行う端末装置であって、前記基地局装置から無線ベアラ設定を含むＲＲＣ再設定メッセージを受信する受信部と、前記無線ベアラ設定に、解放する無線ベアラ識別子リストが含まれる場合には、無線ベアラ解放処理を行い、前記無線ベアラ解放処理において、前記解放する無線ベアラ識別子リストに含まれる無線ベアラ識別子のうち、前記端末装置の現在の設定の一部である各無線ベアラ識別子に対し、前記無線ベアラ識別子に対応するＰＤＣＰエンティティを解放し、前記ＲＲＣ再設定に同期を伴う再設定を示す情報が含まれる場合には、同期を伴う再設定が成功した後にＳＤＡＰエンティティの再設定を行い、前記ＲＲＣ再設定に同期を伴う再設定を示す情報が含まれない場合には、直ちにＳＤＡＰエンティティの再設定を行う処理部と、を有する。
【００１１】
また本発明の一態様は、基地局装置と通信と行う端末装置の方法であって、前記基地局装置から無線ベアラ設定を含むＲＲＣ再設定メッセージを受信し、前記無線ベアラ設定に、解放する無線ベアラ識別子リストが含まれる場合には、無線ベアラ解放処理を行い、前記無線ベアラ解放処理において、前記解放する無線ベアラ識別子リストに含まれる無線ベアラ識別子のうち、前記端末装置の現在の設定の一部である各無線ベアラ識別子に対し、前記無線ベアラ識別子に対応するＳＤＡＰエンティティを再設定し、前記無線ベアラ識別子に対応するＰＤＣＰエンティティを解放する。
【００１２】
また本発明の一態様は、端末装置と通信と行う基地局装置の方法であって、前記端末装置に無線ベアラ設定を含むＲＲＣ再設定メッセージを送信し、前記無線ベアラ設定に、解放する無線ベアラ識別子リストに含めて、前記端末装置に、無線ベアラ解放処理を行わせ、前記無線ベアラ解放処理において、前記解放する無線ベアラ識別子リストに含まれる無線ベアラ識別子のうち、前記端末装置の現在の設定の一部である各無線ベアラ識別子に対し、前記無線ベアラ識別子に対応する前記端末装置のＰＤＣＰエンティティは、解放され、前記無線ベアラ識別子に対応する前記端末装置のＳＤＡＰエンティティは、再設定される。
【００１３】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１４】
本発明の一態様によれば、端末装置は、プロトコル処理の複雑さを軽減し、効率的に通信を行うことができる。
【図面の簡単な説明】
【００１５】
【図１】本発明の各実施の形態に係る通信システムの概略図。
【図２】本発明の各実施の形態における、Ｅ−ＵＴＲＡにおける端末装置と基地局装置のＵＰ及びＣＰのプロトコルスタック図。
【図３】本発明の各実施の形態における、ＮＲにおける端末装置と基地局装置のＵＰ及びＣＰのプロトコルスタック図。
【図４】本発明の実施の形態１から実施の形態３におけるＲＲＣコネクション再設定手順のフローの一例を示す図
【図５】本発明の実施の形態１から実施の形態３における端末装置の構成を示すブロック図。
【図６】本発明の実施の形態１から実施の形態３におけるＤＲＢ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例を示す図。
【図７】本発明の実施の形態１における処理方法の一例。
【図８】本発明の実施の形態１における処理方法の別の一例。
【図９】本発明の各実施の形態における基地局装置の構成を示すブロック図。
【図１０】本発明の実施の形態２における処理方法の一例。
【図１１】本発明の実施の形態２における処理方法の第二の一例。
【図１２】本発明の実施の形態２における処理方法の第三の一例。
【図１３】本発明の実施の形態３における処理方法の一例。
【図１４】本発明の実施の形態３における処理方法の第二の一例。
【図１５】本発明の実施の形態３における処理方法の第三の一例。
【図１６】本発明の実施の形態４におけるＲＲＣ再設定手順のフローの一例を示す図
【図１７】本発明の実施の形態４における端末装置の構成を示すブロック図
【図１８】本発明の実施の形態４におけるＤＲＢ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例を示す図。
【図１９】本発明の実施の形態４におけるセルグループ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例を示す図。
【図２０】本発明の実施の形態４における処理方法の一例
【図２１】本発明の実施の形態４における処理方法の第二の一例
【図２２】本発明の実施の形態４における基地局装置の構成を示すブロック図
【発明を実施するための形態】
【００１６】
以下、本発明の実施の形態について、図面を参照して詳細に説明する。
【００１７】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＭｕｌｔｉ  ＲＡＴ  Ｄｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。また本実施形態でのＥ−ＵＴＲＡという用語は、ＬＴＥという用語に置き換えられても良いし、ＬＴＥという用語はＥ−ＵＴＲＡという用語に置き換えられても良い。
【００１８】
図１は本発明の実施の形態に係る通信システムの概略図である。
【００１９】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ
（Ｅ−ＵＴＲＡＮ  Ｎｏｄｅ  Ｂ）１０２は、Ｅ−ＵＴＲＡの基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ用コア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００２０】
ＮＲ１０６は現在３ＧＰＰにて検討している新しい無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲの基地局装置である。５ＧＣ１１０は、現在３ＧＰＰにて検討しているＮＲ用の新しいコア網であり、非特許文献２等に記載される。
【００２１】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、インタフェース１２４はＣＰのみ、又はＵＰのみ、又はＣＰ及びＵＰ両方を通すインタフェースである。また、インタフェース１１４、インタフェース１１６、インタフェース１１８、インタフェース１２０、インタフェース１２４は、通信事業者が提供する通信システムに応じて存在しない場合もある。
【００２２】
ＵＥ１２２はＮＲに対応、又はＥ−ＵＴＲＡ及びＮＲ両方に対応した端末装置である。
【００２３】
図２は本発明の実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００２４】
図２（Ａ）はＵＥ１２２がｅＮＢ１０２と通信を行う際に用いるＵＰのプロトコルスタック図である。
【００２５】
ＰＨＹ（Ｐｈｙｓｉｃａｌ  ｌａｙｅｒ）２００は、無線物理層（無線物理レイヤ）であり、物理チャネル（Ｐｈｙｓｉｃａｌ  Ｃｈａｎｎｅｌ）を利用して上位層（上位レイヤ）に伝送サービスを提供する。ＰＨＹ２００は、後述する上位のＭＡＣ（Ｍｅｄｉｕｍ
Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００２６】
ＭＡＣ２０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００２７】
ＲＬＣ２０４は、後述する上位のＰＤＣＰ（Ｐａｃｋｅｔ  Ｄａｔａ  Ｃｏｎｖｅｒｇ
ｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層（下位レイヤ）が適切にデ−タ送信できるようにデ−タサイズを調節する無線リンク制御層（無線リンク制御レイヤ）である。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００２８】
ＰＤＣＰ２０６は、ユーザデータであるＩＰパケット（ＩＰ  Ｐａｃｋｅｔ）を無線区間で効率的に伝送するためのパケットデータ収束プロトコル層（パケットデータ収束プロトコルレイヤ）である。ＰＤＣＰ２０６は、不要な制御情報の圧縮を行うヘッダ圧縮機能を持ってもよい。また、ＰＤＣＰ２０６は、デ−タの暗号化の機能も持ってもよい（非特許文献５）。
【００２９】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００３０】
図２（Ｂ）はＵＥ１２２がｅＮＢ１０２と通信を行う際に用いるＣＰのプロトコルスタック図である。
【００３１】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８が存在する。ＲＲＣ２０８は、無線ベアラ（Ｒａｄｉｏ  Ｂｅａｒｅｒ：ＲＢ）の設定・再設定などを行い、論理チャネル、トランスポートチャネル及び物理チャネルの制御を行う無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい（非特許文献４）。
【００３２】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。
【００３３】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＰＤＣＰレイヤの上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤの上位レイヤとなる。言い換えれば、ＰＤＣＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００３４】
図３は本発明の実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００３５】
図３（Ａ）はＵＥ１２２がｇＮＢ１０８と通信を行う際に用いるＵＰのプロトコルスタック図である。
【００３６】
ＰＨＹ（Ｐｈｙｓｉｃａｌ  ｌａｙｅｒ）３００は、ＮＲの無線物理層（無線物理レイヤ）であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。
【００３７】
ＭＡＣ３０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。
【００３８】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する無線リンク制御層（無線リンク制御レイヤ）である。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。
【００３９】
ＰＤＣＰ３０６は、ユーザデータであるＩＰパケット（ＩＰ  Ｐａｃｋｅｔ）を無線区間で効率的に伝送するパケットデータ収束プロトコル層（パケットデータ収束プロトコル層）である。ＰＤＣＰ３０６、不要な制御情報の圧縮を行うヘッダ圧縮機能を持ってもよい。また、ＰＤＣＰ３０６は、デ−タの暗号化の機能も持ってもよい（非特許文献１１）。
【００４０】
ＳＤＡＰ（Ｓｅｒｖｉｃｅ  Ｄａｔａ  Ａｄａｐｔａｔｉｏｎ  Ｐｒｏｔｏｃｏｌ）３１０は、コアネットワークから基地局装置を介して端末装置に送られるダウンリンクのＱｏＳフローとＤＲＢとのマッピング（ｍａｐｐｉｎｇ）、及び端末装置から基地局装置を介してコアネットワークに送られるアップリンクのＱｏＳ情報フローと、ＤＲＢとのマッピングを行い、マッピングルール情報を格納する機能を持ってもつ、サービスデータ適応プロトコル層（サービスデータ適応プロトコルレイヤ）である（非特許文献１６）。ＱｏＳフローは同じＱｏＳポリシーによって処理される、一つ又は複数のサービスデータフロー（Ｓｅｒｖｉｃｅ  Ｄａｔａ  Ｆｌｏｗ：ＳＤＦ）から成る（非特許文献２）。またＳＤＡＰはダウンリンクＱｏＳフローの情報を基に、アップリンクのＱｏＳフローとＤＲＢとのマッピングを行う、リフレクティブＱｏＳ（Ｒｅｆｌｅｃｔｉｖｅ  ＱｏＳ）の機能を持っても良い（非特許文献２、非特許文献１６）。詳細においては３ＧＰＰにおいて議論中である。
【００４１】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏ
ｔｏｃｏｌ）レイヤ、アプリケーションレイヤなどは、ＳＤＡＰレイヤの上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤの上位レイヤとなる。ＮＡＳレイヤにおいて、サービスデータフローとＱｏＳフローとの対応付が行われる。言い換えれば、ＳＤＡＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ
Ｐｒｏｔｏｃｏｌ）レイヤ、アプリケーションレイヤの下位レイヤとなる。
【００４２】
なお、ＭＡＣ３０２、ＲＬＣ３０４、ＰＤＣＰ３０６、ＳＤＡＰ３１０において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵ、ＳＤＡＰ  ＰＤＵと呼んでも良い。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵ、ＳＤＡＰ  ＳＤＵと呼んでも良い。
【００４３】
図３（Ｂ）はＵＥ１２２がｇＮＢ１０８と通信を行う際に用いるＣＰのプロトコルスタック図である。
【００４４】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８が存在する。ＲＲＣ３０８は、無線ベアラ（Ｒａｄｉｏ  Ｂｅａｒｅｒ：ＲＢ）の設定・再設定などを行い、論理チャネル、トランスポートチャネル及び物理チャネルの制御を行う無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい。またＲＢのうちＲＬＣ３０４とＭＡＣ３０２で構成される部分をＲＬＣベアラと呼んでも良い（非特許文献１０）。
【００４５】
前述のＭＡＣ３０２、ＲＬＣ３０４、ＰＤＣＰ３０６、ＳＤＡＰ３１０、及びＲＲＣ３０８の機能分類は一例であり、各機能の一部あるいは全部が実装されなくてもよい。また、各層（各レイヤ）の機能の一部あるいは全部が他の層（レイヤ）に含まれてもよい。
【００４６】
なお、本発明の実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。又は、Ｅ−ＵＴＲＡ  ＰＤＣＰ又はＬＴＥ  ＰＤＣＰ、ＮＲ  ＰＤＣＰなどとスペースを用いて記述する場合もある。
【００４７】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。
【００４８】
（実施の形態１）
図１、図２及び図４から図８を用いて、本発明の実施の形態１を説明する。
【００４９】
図４は本発明の実施の形態１から実施の形態３におけるＲＲＣコネクション再設定手順のフローの一例を示す図である。
【００５０】
ＲＲＣコネクション再設定手順（ＲＲＣ Ｃｏｎｎｅｃｔｉｏｎ  Ｒｅｃｏｎｆｉｇｕ
ｒａｔｉｏｎ）は、非特許文献４に記載の、ＬＴＥにおけるＲＢの確立、変更、及び解放、及びセカンダリセルの、変更、解放等を行う他、ハンドオーバ及び測定（Ｍｅｓｕｒｅｍｅｎｔ）等のために用いられる手順である。またＲＲＣコネクション再設定手順は、ＭＲ−ＤＣにおいて、特にコア網がＥＰＣ１０４で、マスターノードがｅＮＢ１０２である場合のＭＲ−ＤＣである、ＥＮ−ＤＣ（Ｅ−ＵＴＲＡ−ＮＲ  Ｄｕａｌ  Ｃｏｎｎｅｃｔｉｖｉｔｙ）、及びコア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）においては、ＲＲＣコネクション再設定手順は、ＬＴＥだけでなく、非特許文献１０に記載の、ＮＲにおけるＲＢの確立、変更、及び解放、及びセカンダリセルの、変更、解放等の一部を行う他、ハンドオーバ及び測定（Ｍｅｓｕｒｅｍｅｎｔ）等の一部を行うためにも用いられる。本発明の各実施の形態において、ＮＲにおけるＲＢの確立、変更、及び解放、及びセルグループの追加、変更、解放、ハンドオーバ及び測定（Ｍｅｓｕｒｅｍｅｎｔ）等のために用いられ手順を、ＲＲＣコネクション再設定手順と呼ぶが、別の名称であっても良い。また本発明の各実施の形態におけるＲＢの確立、変更、及び解放、及びセルグループの追加、変更、解放、ハンドオーバ及び測定（Ｍｅｓｕｒｅｍｅｎｔ）等の手順は、非特許文献１０に記載のＮＲにおける手順であっても良く、ＲＲＣ再設定手順という名称であっても良い。また本発明の各実施の形態において、ｅＮＢ１０２からＵＥ１２２に送られるＲＲＣコネクション再設定メッセージ（ＲＲＣＣｏｎｎｅｃｔｉｏｎＲｅｃｏｎｆｉｇｒａｔｉｏｎ）は、ｇＮＢ１０８からＵＥ１２２に送られるＲＲＣ再設定メッセージＲＲＣＲｅｃｏｎｆｉｇｒａｔｉｏｎ）に置き換えられても良い。
【００５１】
ＲＲＣコネクション再設定手順において、ＵＥ１２２はｅＮＢ１０２よりＲＲＣコネクション再設定メッセージ（ＲＲＣＣｏｎｎｅｃｔｉｏｎＲｅｃｏｎｆｉｇｒａｔｉｏｎ）を受信し（ステップＳ４００）、ＲＲＣコネクション再設定メッセージに含まれる情報に従って各種設定、例えばＤＲＢの設定などの処理を行う（ステップＳ４０２）。ステップＳ４０２の後、ＵＥ１２２はｅＮＢ１０２に、ＲＲＣコネクション再設定完了メッセージ（ＲＲＣＣｏｎｎｅｃｔｉｏｎＲｅｃｏｎｆｉｇｒａｔｉｏｎＣｏｍｐｌｅｔｅ）などを送っても良い（不図示）。
【００５２】
図５は本発明の実施の形態１から実施の形態３における端末装置（ＵＥ１２２）の構成を示すブロック図である。なお、説明が煩雑になることを避けるために、図５では、本発明と密接に関連する主な構成部のみを示す。
【００５３】
図５に示すＵＥ１２２は、ｅＮＢ１０２よりＲＲＣコネクション再設定メッセージを受信する受信部５００、及びメッセージの処理を行う処理部５０２から成る。
【００５４】
図６は本発明の実施の形態１から実施の形態３において、図４におけるＲＲＣコネクション再設定メッセージに含まれる情報のうち、ＥＮ−ＤＣ及びＮＧＥＮ−ＤＣにおけるマスターノードのセルグループにおけるＤＲＢ設定のうち、ＬＴＥに係る情報、及び情報のＡＳＮ．１（Ａｂｓｔｒａｃｔ  Ｓｙｎｔａｘ  Ｎｏｔａｔｉｏｎ  Ｏｎｅ）記述の一例である。３ＧＰＰにおいて、ＲＲＣに係る仕様書（非特許文献４、非特許文献１０）は、
ＲＲＣに係るメッセージ、及び情報（Ｉｎｆｏｒｍａｔｉｏｎ  Ｅｌｅｍｅｎｔ：ＩＥ）等をＡＳＮ．１を用いて記述する。図６のＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報が省略されていても良い。なお図６におけるＡＳＮ．１の例はＡＳＮ．１表記方法に正しく従ったものではなく、本発明におけるＤＲＢ設定のパラメータの一例を表記したものであり、他の名称や他の表記が使われても良い。また図６におけるＡＳＮ．１の例は、説明が煩雑になることを避けるために、本発明と密接に関連する主な情報に関する例のみを示す。
【００５５】
また、以下の説明で用いられるＥＰＳ（Ｅｖｏｌｖｅｄ  Ｐａｃｋｅｔ  Ｓｙｓｔｅｍ）ベアラとは、ＵＥ１２２とＥＰＣ１０４との間で共通のＱｏＳの扱いを受けるトラフィックフローを一意に識別するものであり、ＥＰＳベアラ識別子はそれぞれのＥＰＳベアラを識別するために用いられる識別子である。
【００５６】
図６においてｆｕｌｌＣｏｎｆｉｇで表される情報は、フル設定が適用される事を示す情報であり、ｔｒｕｅ、ｅｎａｂｌｅなどを用いてフル設定が適用される事を示しても良い。ＤＲＢ−ＴｏＡｄｄＭｏｄＬｉｓｔで表される情報は、ＤＲＢＴｏＡｄｄＭｏｄで表される、追加又は変更するＤＲＢの設定を示す情報のリストであっても良い。ＤＲＢ−ＴｏＡｄｄＭｏｄ（追加又は変更するＤＲＢの設定を示す情報）の中の、ｅｐｓ−ＢｅａｒｅｒＩｄｅｎｔｉｔｙで表される情報は、非特許文献３に説明されるＥＰＳベアラを識別する、ＥＰＳ（Ｅｖｏｌｖｅｄ  Ｐａｃｋｅｔ  Ｓｙｓｔｅｍ）ベアラ識別子の情報であっても良い。図６の例では０から１５の整数値としているが、別の値を取っても良い。ＥＰＳベアラ識別子の情報は、設定するＤＲＢと一対一に対応していても良い。また追加又は変更するＤＲＢの設定を示す情報の中の、ＤＲＢ−Ｉｄｅｎｔｉｔｙで表される情報は、追加又は変更するＤＲＢのＤＲＢ識別子の情報である。図６の例では１から３２の整数値としているが、別の値を取っても良い。また追加又は変更するＤＲＢの設定を示す情報の中の、ｐｄｃｐ−Ｃｏｎｆｉｇで表される情報はＰＤＣＰ２０６の確立や変更を行うための、ＬＴＥ  ＰＤＣＰエンティティの設定に関する情報であっても良い。
【００５７】
また図６に示す一部、又は全ての情報は、オプショナルであっても良い。即ち図６に示す情報は必要に応じてＲＲＣコネクション再設定メッセージに含まれても良い。例えばＥＮ−ＤＣに対応したＵＥ１２２におけるＤＲＢのＰＤＣＰとして、ＬＴＥ  ＰＤＣＰを使う場合には、ＬＴＥ  ＰＤＣＰエンティティの設定に関する情報が含まれても良いし、ＮＲ  ＰＤＣＰを利用する場合には、ＬＴＥ  ＰＤＣＰエンティティの設定に関する情報は含まれなくても良い。
【００５８】
なお、ＵＥ１２２において、ＰＤＣＰエンティティの設定は、対応するＲＲＣエンティティによって設定される。即ちＬＴＥ  ＰＤＣＰエンティティ設定は、非特許文献４に記載のＬＴＥ用ＲＲＣエンティティによって設定され、ＮＲ  ＰＤＣＰエンティティの設定は、非特許文献１０に記載のＮＲ用ＲＲＣエンティティによって設定される。また、ＬＴＥ用ＲＲＣエンティティで行われる処理では、ＬＴＥ  ＰＤＣＰが確立、若しくは設定されているかを判断し、ＮＲ用ＲＲＣエンティティで行われる処理では、ＮＲ  ＰＤＣＰが確立、若しくは設定されているかを判断する。なお、ＵＥ１２２は、ｅＮＢ１０２から受信したＲＲＣコネクション再設定メッセージの中に、ＮＲ  ＰＤＣＰエンティティの設定関する情報などの、ＮＲに関する設定の情報がコンテナ等の形で含まれる場合には、ＮＲ
ＲＲＣエンティティにてデコードし設定を行う。
【００５９】
なお、本発明の各実施の形態において、以下、追加又は変更するＤＲＢの設定を示す情報の事をＤＲＢ設定、ＥＰＳベアラ識別子の情報の事をＥＰＳベアラ識別子、ＤＲＢ識別子の情報事をＤＲＢ識別子、ＬＴＥ  ＰＤＣＰエンティティの設定に関する情報の事をＬ
ＴＥ  ＰＤＣＰ設定、とそれぞれ記述する場合もある。
【００６０】
図７は図５におけるＵＥ１２２の処理部５０２の、本発明の実施の形態１における処理方法の一例を、図８は図５におけるＵＥ１２２の処理部５０２の、本発明の実施の形態１における処理方法の別の一例を、それぞれ示す。なお、以下の説明で、ＤＲＢ設定は、ＤＲＢ設定のリストに含まれるものとし、ＵＥ１２２の処理部５０２におけるＤＲＢ設定に対する処理は、ＤＲＢ設定のリストに含まれる、各ＤＲＢ設定に対して行われるものとする。
【００６１】
図５から図７を用いて、ＤＲＢ設定手順の例を説明する。
【００６２】
ＵＥ１２２の処理部５０２は、受信部５００より受信した、ＤＲＢ設定を含むＲＲＣコネクション再設定メッセージに、フル設定が適用される事を示す情報が含まれる事を確定する（ステップＳ７００）。
【００６３】
次にＵＥ１２２の処理部５０２は、上記ＤＲＢ設定に含まれるＤＲＢ識別子の値が、ＵＥ１２２の現在設定の一部で無い場合で、かつ上記ＤＲＢ識別子を持つ確立されたＤＲＢに、ＬＴＥ  ＰＤＣＰエンティティが確立している場合には、上記確立されたＤＲＢと、上記ＥＰＳベアラ識別子を関連付ける（ステップＳ７０２）。ＵＥ１２２の処理部５０２は、上記ＤＲＢ設定に含まれるＤＲＢ識別子の値が、ＵＥ１２２の現在設定の一部で無い場合で、かつ上記ＤＲＢ識別子を持つ確立されたＤＲＢに、ＬＴＥ  ＰＤＣＰエンティティが確立していない場合には、上記確立されたＤＲＢと、上記ＥＰＳベアラ識別子を関連付けない。なお、上記「上記ＤＲＢ識別子を持つ確立されたＤＲＢに、ＬＴＥ  ＰＤＣＰエンティティが確立している場合」は、「上記ＤＲＢ識別子を持つ確立されたＤＲＢに、ＬＴＥによってＰＤＣＰエンティティが確立している場合」と置き換えても良いし、「上記ＤＲＢ設定にＬＴＥ  ＰＤＣＰエンティティ設定が含まれている場合」と置き換えても良い。なお、「ＬＴＥ  ＰＤＣＰエンティティが確立している場合」とは、ＰＤＣＰエンティティの確立が、ＬＴＥ用ＲＲＣエンティティで確立されている場合を示し、「ＤＲＢ設定にＬＴＥ  ＰＤＣＰ設定が含まれる」とはＬＴＥ用ＲＲＣエンティティのＤＲＢ設定にＰＤＣＰ設定が含まれる事を示す。なお、上記「上記ＤＲＢ識別子を持つ確立されたＤＲＢに、ＬＴＥ  ＰＤＣＰエンティティが確立していない場合」は、「上記ＤＲＢ識別子を持つ確立されたＤＲＢに、ＬＴＥによってＰＤＣＰエンティティが確立していない場合」と置き換えても良いし、「上記ＤＲＢ設定にＬＴＥ  ＰＤＣＰエンティティ設定が含まれていない場合」と置き換えても良い。なお、「ＬＴＥ  ＰＤＣＰエンティティが確立していない場合」とは、ＰＤＣＰエンティティの確立が、ＬＴＥ用ＲＲＣエンティティで確立されていない場合を示し、「ＤＲＢ設定にＬＴＥ  ＰＤＣＰ設定が含まれない」とはＬＴＥ用ＲＲＣエンティティのＤＲＢ設定にＰＤＣＰ設定が含まれない事を示す。
【００６４】
なお、図７において、各情報を確定する順番はこの通りで無くても良い。フル設定が適用される事を示す情報が含まれる事の確定は、ステップＳ７０２において、ＤＲＢ識別子の情報の値が、ＵＥ１２２の現在設定の一部で無い事を確定した後、若しくはＬＴＥ  ＰＤＣＰエンティティが確立されている事を確定した後に行われても良い。
【００６５】
次に図５、図６及び図８を用いて、ＤＲＢ設定手順の別の例を説明する。
【００６６】
ＵＥ１２２の処理部５０２は、受信部５００より受信した、ＤＲＢ設定を含むＲＲＣコネクション再設定メッセージに、フル設定が適用される事を示す情報が含まれない事を確認する（ステップＳ８００）。
【００６７】
次にＵＥ１２２の処理部５０２は、上記ＤＲＢ設定に含まれるＤＲＢ識別子の値が、Ｕ
Ｅ１２２の現在設定の一部で無い場合で、かつ上記ＤＲＢ識別子を持つ確立されたＤＲＢに、ＬＴＥ  ＰＤＣＰエンティティが確立している場合には、ＤＲＢが確立されたという情報と、上記確立されたＤＲＢのＥＰＳベアラ識別子を、上位レイヤに通知する（ステップＳ８０２）。ＵＥ１２２の処理部５０２は、上記ＤＲＢ設定に含まれるＤＲＢ識別子の値が、ＵＥ１２２の現在設定の一部で無い場合で、かつ上記ＤＲＢ識別子を持つ確立されたＤＲＢに、ＬＴＥ  ＰＤＣＰエンティティが確立していない場合には、ＤＲＢが確立されたという情報と、上記確立されたＤＲＢのＥＰＳベアラ識別子を、上位レイヤに通知しない。なお、上記「上記ＤＲＢ識別子を持つ確立されたＤＲＢに、ＬＴＥ  ＰＤＣＰエンティティが確立している場合」は、「上記ＤＲＢ識別子を持つ確立されたＤＲＢに、ＬＴＥによってＰＤＣＰエンティティが確立している場合」と置き換えても良いし、「上記ＤＲＢ設定にＬＴＥ  ＰＤＣＰエンティティ設定が含まれている場合」と置き換えても良い。なお、「ＬＴＥ  ＰＤＣＰエンティティが確立している場合」とは、ＰＤＣＰエンティティの確立が、ＬＴＥ用ＲＲＣエンティティで確立されている場合を示し、「ＤＲＢ設定にＬＴＥ  ＰＤＣＰ設定が含まれる」とはＬＴＥ用ＲＲＣエンティティのＤＲＢ設定にＰＤＣＰ設定が含まれる事を示す。なお、上記「上記ＤＲＢ識別子を持つ確立されたＤＲＢに、ＬＴＥ  ＰＤＣＰエンティティが確立していない場合」は、「上記ＤＲＢ識別子を持つ確立されたＤＲＢに、ＬＴＥによってＰＤＣＰエンティティが確立していない場合」と置き換えても良いし、「上記ＤＲＢ設定にＬＴＥ  ＰＤＣＰエンティティ設定が含まれていない場合」と置き換えても良い。なお、「ＬＴＥ  ＰＤＣＰエンティティが確立していない場合」とは、ＰＤＣＰエンティティの確立が、ＬＴＥ用ＲＲＣエンティティで確立されていない場合を示し、「ＤＲＢ設定にＬＴＥ  ＰＤＣＰ設定が含まれない」とはＬＴＥ用ＲＲＣエンティティのＤＲＢ設定にＰＤＣＰ設定が含まれない事を示す。
【００６８】
なお、図８において、各情報を確定する順番はこの通りで無くても良い。フル設定が適用される事を示す情報が含まれない事の確定は、ステップＳ８０２において、ＤＲＢ識別子の情報の値が、ＵＥ１２２の現在設定の一部で無い事を確定した後、若しくはＬＴＥ  ＰＤＣＰエンティティが確立されている事を確定した後に行われても良い
【００６９】
このように、本発明の実施の形態１では、端末装置は、プロトコル処理の複雑さを軽減し、効率的に通信を行うことができる。
【００７０】
（実施の形態２）
図４から図６、及び図９から図１２を用いて本発明の実施の形態２を説明する。実施の形態２では、ＬＴＥ  ＰＤＣＰからＮＲ  ＰＤＣＰへの、又はＮＲ  ＰＤＣＰからＬＴＥ
ＰＤＣＰへのＰＤＣＰバージョンチェンジに伴うＤＲＢの解放処理、又はＥＰＳベアラを保持したままでのＤＲＢの解放処理に関して説明する。なお本発明の実施の形態２はＥＮ−ＤＣが設定されている時に適応されても良い。
【００７１】
図９は本発明の実施の形態１から実施の形態３における基地局装置（ｅＮＢ１０２）の構成を示すブロック図である。なお、説明が煩雑になることを避けるために、図９では、本発明と密接に関連する主な構成部のみを示す。
【００７２】
図９に示すｅＮＢ１０２は、ＵＥ１２２よりＲＲＣコネクション再設定メッセージを送信する送信部９００、及びＲＲＣコネクション再設定メッセージの作成を行う処理部９０２から成る。
【００７３】
ｅＮＢ１０２の処理部９０２はＲＲＣコネクション再設定メッセージを作成し、送信部９００よりＵＥ１２２へと送信する（ステップＳ４００）。ＵＥ１２２の受信部５００は上記ＲＲＣコネクション再設定メッセージを受信し、処理部５０２は上記ＲＲＣコネクション再設定メッセージに従って処理を行う（ステップＳ４０２）。
【００７４】
図１０は図５におけるＵＥ１２２の処理部５０２の、本発明の実施の形態２における処理方法の一例を、図１０は図５におけるＵＥ１２２の処理部５０２の、本発明の実施の形態２における処理方法の第二の一例を、また図１２は図５におけるＵＥ１２２の処理部５０２の、本発明の実施の形態２における処理方法の第三の一例を示す。なお、以下の説明で、ＤＲＢ設定は、ＤＲＢ設定のリストに含まれるものとし、ＵＥ１２２の処理部５０２におけるＤＲＢ設定に対する処理は、ＤＲＢ設定のリストに含まれる、各ＤＲＢ設定に対して行われるものとする。
【００７５】
図１０においてＵＥ１２２の処理部５０２は、受信部５００より受信した、ＲＲＣコネクション再設定メッセージに、解放するＤＲＢのＤＲＢ識別子が含まれ、上記ＤＲＢ識別子に対応するＥＰＳベアラ識別子に、新しいＤＲＢが追加される事を確定する。（ステップＳ１０００）。
【００７６】
次にＵＥ１２２の処理部５０２は、上記ＤＲＢ識別子を解放する。（ステップＳ１００２）。またステップＳ１００２において、ＵＥ１２２の処理部５０２は更に、上記ＤＲＢ識別子に対応するＥＰＳベアラ識別子に対し、新しいＤＲＢが確立されるという通知を、ＮＲ  ＲＲＣエンティティに送っても良い。
【００７７】
図１１においてＵＥ１２２の処理部５０２は、受信部５００より受信した、ＲＲＣコネクション再設定メッセージに、解放するＤＲＢのＤＲＢ識別子が含まれる事を確定する。（ステップＳ１１００）。
【００７８】
次にＵＥ１２２の処理部５０２は、上記解放するＤＲＢにＰＤＣＰエンティティが設定されていて、かつ上記ＲＲＣコネクション再設定メッセージにＰＤＣＰバージョンチェンジである事の情報（図６不図示）が含まれない事を確定し（ステップＳ１１０２）、確定できた場合には、上記ＤＲＢ識別子に対応するＥＰＳベアラ識別子、及び上記ＤＲＢの解放情報を、上位レイヤに通知する。（ステップＳ１１０４）
【００７９】
ステップＳ１１０２において、ＵＥ１２２の処理部５０２が上記解放するＤＲＢにＰＤＣＰエンティティが設定されていて、かつ上記ＲＲＣコネクション再設定メッセージにＰＤＣＰバージョンチェンジである事の情報が含まれない事を確定できない場合には、ＵＥ１２２の処理部５０２は、上記ＲＲＣコネクション再設定メッセージにＰＤＣＰバージョンチェンジである事の情報が含まれている事を確定し、確定できた場合には、上記ＤＲＢ識別子を解放する（ステップＳ１１０６）。
【００８０】
図１２においてＵＥ１２２の処理部５０２は、受信部５００より受信した、ＲＲＣコネクション再設定メッセージに、解放するＤＲＢのＤＲＢ識別子が含まれる事を確定する。（ステップＳ１２００）。
【００８１】
次にＵＥ１２２の処理部５０２は、上記解放するＤＲＢに解放を通知する指示（図６不図示）がセットされている事を確定し（ステップＳ１２０２）、確定できた場合には、上記ＤＲＢ識別子に対応するＥＰＳベアラ識別子、及び上記ＤＲＢの解放情報を、上位レイヤに通知する。（ステップＳ１２０４）
【００８２】
ステップＳ１２０２において、ＵＥ１２２の処理部５０２が上記解放するＤＲＢに解放を通知する指示がセットされていない事を確定した場合には、上記ＤＲＢ識別子に対しＤＲＢ識別子の解放指示（図６不図示）がセットされているかを確定する。確定できた場合には、上記ＤＲＢ識別子を解放する（ステップＳ１２０６）。
【００８３】
このように、本発明の実施の形態２では、端末装置は、プロトコル処理の複雑さを軽減し、効率的に通信を行うことができる。
【００８４】
（実施の形態３）
図４から図６、図９、及び図１３から図１５を用いて本発明の実施の形態３を説明する。実施の形態３では、ＬＴＥ  ＰＤＣＰからＮＲ  ＰＤＣＰへの、又はＮＲ  ＰＤＣＰからＬＴＥ  ＰＤＣＰへのＰＤＣＰバージョンチェンジに伴うＤＲＢの解放後のＤＲＢ追加処理、又はＥＰＳベアラを保持したままでのＤＲＢの解放後のＤＲＢ追加処理に関して説明する。なお本発明の実施の形態３はＥＮ−ＤＣが設定されている時に適応されても良い。
【００８５】
図９は本発明の実施の形態１から実施の形態３における基地局装置（ｅＮＢ１０２）の構成を示すブロック図である。なお、説明が煩雑になることを避けるために、図９では、本発明と密接に関連する主な構成部のみを示す。
【００８６】
図９に示すｅＮＢ１０２は、ＵＥ１２２よりＲＲＣコネクション再設定メッセージを送信する送信部９００、及びＲＲＣコネクション再設定メッセージの作成を行う処理部９０２から成る。
【００８７】
ｅＮＢ１０２の処理部９０２はＲＲＣコネクション再設定メッセージを作成し、送信部９００よりＵＥ１２２へと送信する（ステップＳ４００）。ＵＥ１２２の受信部５００は上記ＲＲＣコネクション再設定メッセージを受信し、処理部５０２は上記ＲＲＣコネクション再設定メッセージに従って処理を行う（ステップＳ４０２）。
【００８８】
図１３は図５におけるＵＥ１２２の処理部５０２の、本発明の実施の形態３における処理方法の一例を、図１４は図５におけるＵＥ１２２の処理部５０２の、本発明の実施の形態３における処理方法の第二の一例を、また図１５は図５におけるＵＥ１２２の処理部５０２の、本発明の実施の形態３における処理方法の第三の一例を示す。なお、以下の説明で、ＤＲＢ設定は、ＤＲＢ設定のリストに含まれるものとし、ＵＥ１２２の処理部５０２におけるＤＲＢ設定に対する処理は、ＤＲＢ設定のリストに含まれる、各ＤＲＢ設定に対して行われるものとする。
【００８９】
図１３においてＵＥ１２２の処理部５０２は、受信部５００より受信した、ＲＲＣコネクション再設定メッセージに、ＤＲＢ設定が含まれ、上記ＤＲＢ設定にＤＲＢ識別子とＥＰＳベアラ識別子が含まれる事を確定し、上記ＤＲＢ識別子がＵＥ１２２の現在の設定の一部ではなく、かつ上記ＲＲＣコネクション再設定メッセージを受け取る前に、上記ＥＰＳベアラ識別子に対しＤＲＢが設定されていた事を確定する（ステップＳ１３００）。
【００９０】
次にＵＥ１２２の処理部５０２は、上記ＤＲＢ設定に従って確立したＤＲＢと上記ＥＰＳベアラを対応付ける（ステップＳ１３０２）
【００９１】
図１４においてＵＥ１２２の処理部５０２は、受信部５００より受信した、ＲＲＣコネクション再設定メッセージに、ＤＲＢ設定が含まれ、上記ＤＲＢ設定にＤＲＢ識別子とＥＰＳベアラ識別子が含まれる事を確定し、上記ＤＲＢ識別子がＵＥ１２２の現在の設定の一部ではなく、かつ上記ＲＲＣコネクション再設定メッセージにＰＤＣＰバージョンチェンジである事の情報が含まれている事を確定する（ステップＳ１４００）。確定できた場合には、ＵＥ１２２の処理部５０２は、上記ＤＲＢ設定に従って確立したＤＲＢと上記ＥＰＳベアラを対応付ける（ステップＳ１４０２）
【００９２】
図１５においてＵＥ１２２の処理部５０２は、受信部５００より受信した、ＲＲＣコネ
クション再設定メッセージに、ＤＲＢ設定が含まれ、上記ＤＲＢ設定にＤＲＢ識別子とＥＰＳベアラ識別子が含まれる事を確定し、上記ＤＲＢ識別子がＵＥ１２２の現在の設定の一部ではなく、かつ上記ＤＲＢ設定に関連付けの指示がセットされている事を確定する（ステップＳ１５００）。確定できた場合には、ＵＥ１２２の処理部５０２は、上記ＤＲＢ設定に従って確立したＤＲＢと上記ＥＰＳベアラを対応付ける（ステップＳ１５０２）
【００９３】
このように、本発明の実施の形態３では、端末装置は、プロトコル処理の複雑さを軽減し、効率的に通信を行うことができる。
【００９４】
（実施の形態４）
図１、図２及び図１６から図２２を用いて、本発明の実施の形態４を説明する。なお本発明の実施の形態４は端末装置がＥＮ−ＤＣを動作していない場合に限定して用いられても良いし、コア網に５ＧＣ１１０を用いる場合に限定して用いられても良い。また本発明の実施の形態４は端末装置にＳＤＡＰエンティティが設定される場合に限定して用いられても良い。
【００９５】
図１６は本発明の実施の形態４におけるＲＲＣ再設定手順のフローの一例を示す図である。
【００９６】
ＲＲＣ再設定手順（ＲＲＣ  Ｒｅｃｏｎｆｉｇｕｒａｔｉｏｎ）は、非特許文献１０に記載の、ＮＲにおけるＲＢの確立、変更、及び解放、及びセカンダリセルの、変更、解放等を行う他、ハンドオーバ（同期を伴う再設定）及び測定（Ｍｅｓｕｒｅｍｅｎｔ）等のために用いられる手順である。
【００９７】
ＲＲＣ再設定手順において、ＵＥ１２２はｇＮＢ１０８よりＲＲＣ再設定メッセージ（ＲＲＣＲｅｃｏｎｆｉｇｒａｔｉｏｎ）を受信し（ステップＳ１６００）、ＲＲＣ再設定メッセージに含まれる情報に従って各種設定、例えばＤＲＢの設定などの処理を行う（ステップＳ１６０２）。ステップＳ１６０２の後、ＵＥ１２２はｇＮＢ１０８に、ＲＲＣ再設定完了メッセージ（ＲＲＣＲｅｃｏｎｆｉｇｒａｔｉｏｎＣｏｍｐｌｅｔｅ）などを送っても良い（不図示）。
【００９８】
図２２は本発明の実施の形態４における基地局装置（ｇＮＢ）の構成を示すブロック図である。なお、説明が煩雑になることを避けるために、図２２では、本発明と密接に関連する主な構成部のみを示す。
【００９９】
図２２に示すｇＮＢ１０８は、ＵＥ１２２へＲＲＣ再設定メッセージを送信する送信部２２００、及びメッセージの処理をＵＥ１２２に行わせる処理部２２０２から成る。
【０１００】
図１７は本発明の実施の形態４における端末装置（ＵＥ１２２）の構成を示すブロック図である。なお、説明が煩雑になることを避けるために、図１７では、本発明と密接に関連する主な構成部のみを示す。
【０１０１】
図１７に示すＵＥ１２２は、ｇＮＢ１０８よりＲＲＣ再設定メッセージを受信する受信部１７００、及びメッセージの処理を行う処理部１７０２から成る。
【０１０２】
図１８は本発明の実施の形態４において、図１６におけるＲＲＣ再設定メッセージに含まれるＤＲＢ設定の情報を表すＡＳＮ．１（Ａｂｓｔｒａｃｔ  Ｓｙｎｔａｘ  Ｎｏｔａｔｉｏｎ  Ｏｎｅ）記述の一例である。３ＧＰＰにおいて、ＲＲＣに係る仕様書（非特許文献４、非特許文献１０）は、ＲＲＣに係るメッセージ、及び情報（Ｉｎｆｏｒｍａｔｉｏｎ  Ｅｌｅｍｅｎｔ：ＩＥ）等をＡＳＮ．１を用いて記述する。図１８のＡＳＮ．１の
例で、＜略＞及び＜中略＞とは、ＡＳＮ．１の表記の一部ではなく、他の情報を省略している事を示す。なお＜略＞又は＜中略＞という記載の無い所でも、情報が省略されていても良い。なお図１８におけるＡＳＮ．１の例はＡＳＮ．１表記方法に正しく従ったものではなく、本発明におけるＤＲＢ設定のパラメータの一例を表記したものであり、他の名称や他の表記が使われても良い。また図１８におけるＡＳＮ．１の例は、説明が煩雑になることを避けるために、本発明と密接に関連する主な情報に関する例のみを示す。
【０１０３】
図１８においてＤＲＢ−ＴｏＡｄｄＭｏｄＬｉｓｔで表される情報は、ＤＲＢＴｏＡｄｄＭｏｄで表される、追加又は変更するＤＲＢの設定を示す情報のリストであっても良い。ＤＲＢ−ＴｏＡｄｄＭｏｄ（追加又は変更するＤＲＢの設定を示す情報）の中の、ｃｎＡｓｓｏｃｉａｔｉｏｎで表される情報は、ＤＲＢが、実施の形態１〜３で説明したＥＰＳベアラ識別子を示す情報（ｅｐｓ−ＢｅａｒｅｒＩｄｅｎｔｉｔｙ）に関連付けられるか、ＳＤＡＰ設定を示す情報（ｓｄａｐ−Ｃｏｎｆｉｇ）に関連付けられるかを示す情報であっても良い。ｃｎＡｓｓｏｃｉａｔｉｏｎで表される情報は、コア網にＥＰＣ１０４を用いるか、又は５ＧＣ１１０を用いるかを示す情報であっても良い。ＵＥ１２２がＥＰＣと接続する際にはＤＲＢが、ｃｎＡｓｓｏｃｉａｔｉｏｎ中のＥＰＳベアラ識別子を示す情報（ｅｐｓ−ＢｅａｒｅｒＩｄｅｎｔｉｔｙ）に関連付けられ、ＵＥ１２２が５ＧＣ１１０と接続する際には、ＤＲＢが、ＳＤＡＰ設定を示す情報（ｓｄａｐ−Ｃｏｎｆｉｇ）に関連付けられるようにしてもよい。ＤＣの場合、ＤＲＢ識別子は、ＵＥ１２２のスコープ内で固有である。すなわち、ｃｎＡｓｓｏｃｉａｔｉｏｎで表される情報には、コア網にＥＰＣ１０４を用いる場合にはＥＰＳベアラ識別子を示す情報（ｅｐｓ−ＢｅａｒｅｒＩｄｅｎｔｉｔｙ）を含み、コア網５ＧＣ１１０を用いる場合はＳＤＡＰ設定を示す情報（ｓｄａｐ−Ｃｏｎｆｉｇ）を含んでも良い。ＳＤＡＰ設定を示す情報は、ＳＤＡＰ３１０の確立や変更を行うための、ＳＤＡＰエンティティの設定に関する情報であっても良い。ＳＤＡＰ設定を示す情報に含まれる、ｍａｐｐｅｄＱｏＳ−ＦｌｏｗｓＴｏＡｄｄで示される情報は、追加又は変更するＤＲＢに関連（ｍａｐ）させる、又は追加で関連させるＱｏＳフローのＱｏＳフロー識別子（ＱＦＩ：ＱｏＳ  Ｆｌｏｗ  Ｉｄｅｎｔｉｔｙ）のリストを示す情報であっても良い。また、ＳＤＡＰ設定を示す情報に含まれる、ｍａｐｐｅｄＱｏＳ−ＦｌｏｗｓＴｏＲｅｌｅａｓｅで示される情報は、追加又は変更するＤＲＢに現在関連（ｍａｐ）しているＱｏＳフローから、関連状態を解放するＱｏＳフローのＱｏＳフロー識別子（ＱＦＩ：ＱｏＳ  Ｆｌｏｗ  Ｉｄｅｎｔｉｔｙ）のリストを示す情報であっても良い。またこの他にＰＤＵセッション識別子を示す情報や、アップリンク用ヘッダが存在する事を示す情報、ダウンリンク用ヘッダが存在する事を示す情報などが含まれても良い。また追加又は変更するＤＲＢの設定を示す情報の中の、ＤＲＢ−Ｉｄｅｎｔｉｔｙで表される情報は、追加又は変更するＤＲＢのＤＲＢ識別子の情報である。図１８の例では１から３２の整数値としているが、別の値を取っても良い。また追加又は変更するＤＲＢの設定を示す情報の中の、ｐｄｃｐ−Ｃｏｎｆｉｇで表される情報はＳＲＢ又はＤＲＢ用のＰＤＣＰ３０６の確立や変更を行うための、ＮＲ  ＰＤＣＰエンティティの設定に関する情報であっても良い。ＮＲ  ＰＤＣＰエンティティの設定に関する情報には、アップリンク用シーケンス番号のサイズを示す情報、ダウンリンク用シーケンス番号のサイズを示す情報、ヘッダ圧縮（ＲｏＨＣ：ＲＯｂｕｓｔ  Ｈｅａｄｅｒ  Ｃｏｍｐｒｅｓｓｉｏｎ）のプ��ファイルを示す情報、リオーダリング（ｒｅ−ｏｒｄｅｒｉｎｇ）タイマー情報などが含まれても良い。またＤＲＢ−ＴｏＲｅｌｅａｓｅＬｉｓｔで表される情報は、解放するＤＲＢのＤＲＢ識別子のリスト情報であっても良い。
【０１０４】
また図１８に示す一部、又は全ての情報は、オプショナルであっても良い。即ち図１８に示す情報は必要に応じてＲＲＣ再設定メッセージに含まれても良い。
【０１０５】
図１９は本発明の実施の形態４において、図１６におけるＲＲＣ再設定メッセージに含まれるセルグループ設定の情報を表すＡＳＮ．１（Ａｂｓｔｒａｃｔ  Ｓｙｎｔａｘ  Ｎ
ｏｔａｔｉｏｎ  Ｏｎｅ）記述の一例である。図１９のＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報が省略されていても良い。なお図１８におけるＡＳＮ．１の例はＡＳＮ．１表記方法に正しく従ったものではなく、本発明におけるＤＲＢ設定のパラメータの一例を表記したものであり、他の名称や他の表記が使われても良い。また図１９におけるＡＳＮ．１の例は、説明が煩雑になることを避けるために、本発明と密接に関連する主な情報に関する例のみを示す。
【０１０６】
図１９においてＳｐＣｅｌｌで表される情報は、セルグループの中で主なキャリアである特別セルの設定情報であってもよい。ＳｐＣｅｌｌＣｏｎｆｉｇの中の、ＲｅｃｏｎｆｉｇｕｒａｔｉｏｎＷｉｔｈＳｙｎｃで表される情報は、同期を伴う再設定である事を示す情報である。同期を伴う再設定とは、特別セルとの同期が必要な場合に行われる動作であり、ｒｅｃｏｎｆｉｇｒａｔｉｏｎＷｉｔｈＳｙｎｃを含むＲＲＣ再設定メッセージを受け取った場合に、目標（ｔａｒｇｅｔ）特別セル（ｓｐＣｅｌｌ）の下りリンクとの同期を開始し、前述の目標特別セルのＭＩＢ（Ｍａｓｔｅｒ  Ｉｎｆｏｒｍａｔｉｏｎ  Ｂｌｏｃｋ）を取得し、該当セルグループのＭＡＣエンティティをリセットし、前述の該当セルグループに対するＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）に、新しい端末装置識別子の値を適応し、下位レイヤを受信した設定条件に従って設定する、等の動作を含んでも良い。
【０１０７】
また図１８に示す一部、又は全ての情報は、オプショナルであっても良い。即ち図１８に示す情報は必要に応じてＲＲＣ再設定メッセージに含まれても良い。
【０１０８】
図２０は図１７におけるＵＥ１２２の処理部１７０２の、本発明の実施の形態４における処理方法の一例を、図２１は図１７におけるＵＥ１２２の処理部１７０２の、本発明の実施の形態４における処理方法の別の一例を、それぞれ示す。なお、以下の説明で、解放するＤＲＢのＤＲＢ識別子は、解放するＤＲＢリストに含まれるものとし、ＵＥ１２２の処理部１７０２における解放するＤＲＢのＤＲＢ識別子に対する処理は、解放するＤＲＢリストに含まれる、各ＤＲＢ識別子に対して行われるものとする。
【０１０９】
図１６から図２０、及び図２２を用いて、本発明の実施の形態４のＤＲＢ設定手順の例を説明する。
【０１１０】
ｇＮＢ１０８の処理部２２０２は解放するＤＲＢ識別子リストを含むＤＲＢ設定を含むＲＲＣ再設定メッセージを作成し、送信部２２００より送信する。ＵＥ１２２の処理部１７０２は、受信部１７００より受信した、ＤＲＢ設定を含むＲＲＣ再設定メッセージに、解放するＤＲＢ識別子リストが含まれるか否かを確定し、ＤＲＢ識別子リストが含まれる場合にはＤＲＢ解放処理を行う（ステップＳ２０００）。
【０１１１】
次にＵＥ１２２の処理部１７０２は、前述のＤＲＢ解放処理において、前述のＤＲＢ識別子リストに含まれる、ＤＲＢ識別子のうち、ＵＥ１２２の現在の設定の一部である各ＤＲＢ識別子に対し、該当するＤＲＢ識別子に対応するＰＤＣＰエンティティを解放し、該当するＤＲＢ識別子に対応するＳＤＡＰエンティティを再設定し、解放したＤＲＢに関する情報を下位レイヤに通知する（ステップＳ２００２）。なお、下位レイヤをＳＤＡＰレイヤと言い換えても良い。
【０１１２】
なおステップＳ２００２において、ＳＤＡＰエンティティの再設定は解放するＤＲＢ識別子リストに含まれる全てのＤＲＢ識別子に対応するＤＲＢの解放に対し、一度のみ行われても良い。また、解放したＤＲＢに関する情報を下位レイヤに通知する、とは解放したＤＲＢのＤＲＢ識別子であっても良い。また下位レイヤとはＳＤＡＰレイヤであっても良
い。また、ＳＤＡＰエンティティの再設定、又は解放したＤＲＢに関する情報の下位レイヤへの通知のどちらか一方が行われても良い。またＤＲＢはＳＲＢであっても良く、またＳＲＢとＤＲＢを区別せず無線ベアラと言い換えても良い。またＳＤＡＰの再設定は、ＳＤＡＰの再確立と言い換えても良い。また、ＳＤＡＰエンティティに関連している全てのＤＲＢが解放された場合には、ＳＤＡＰエンティティを解放、または再確立しても良い。また、ＳＤＡＰエンティティの再設定において、ＳＤＡＰエンティティは、ＳＤＡＰエンティティに関連付けられているＤＲＢを更新するようにしてもよい。ＳＤＡＰエンティティの再設定において、ＳＤＡＰエンティティは、解放されたＤＲＢに関連するマッピングルール（ＵＬ  ＱｏＳ  ｆｌｏｗ  ｔｏ  ＤＲＢ  ｍａｐｐｉｎｇ  ｒｕｌｅおよび／またはＤＬ  ＱｏＳ  ｆｌｏｗ  ｔｏ  ＤＲＢ  ｍａｐｐｉｎｇ  ｒｕｌｅ）を全て削除するようにしてもよい。
【０１１３】
また、図１８のＳＤＡＰ設定を示す情報の中に、解放するＤＲＢ識別子リスト、又解放するＤＲＢ識別子のリストが判断できる情報を含んでも良い。この場合、ステップＳ２００２において、解放したＤＲＢに関する情報を下位レイヤに通知せず、ＳＤＡＰエンティティの再設定のみ行っても良い。
【０１１４】
また、図１８のＳＤＡＰ設定を示す情報の中の、ｍａｐｐｅｄＱｏＳ−ＦｌｏｗｓＴｏＲｅｌｅａｓｅで示される情報に、解放するＤＲＢ識別子リストに含まれるＤＲＢ識別子に対応している全てのＱＦＩの情報を含んでも良い。この場合、ステップＳ２００２において、解放したＤＲＢに関する情報を下位レイヤに通知せず、ＳＤＡＰエンティティの再設定のみ行っても良い。またこの際、ＳＤＡＰレイヤから、解放したＱＦＩの情報をＲＲＣレイヤに通知しても良い。
【０１１５】
図１６から図１９及び図２１から図２２を用いて、本発明の実施の形態４のＤＲＢ設定手順の別の例を説明する。
【０１１６】
ｇＮＢ１０８の処理部２２０２は解放するＤＲＢ識別子リストを含むＤＲＢ設定を含むＲＲＣ再設定メッセージを作成し、送信部２２００より送信する。ＵＥ１２２の処理部１７０２は、受信部１７００より受信した、ＤＲＢ設定を含むＲＲＣ再設定メッセージに、解放するＤＲＢ識別子リストが含まれるか否かを確定し、ＤＲＢ識別子リストが含まれる場合にはＤＲＢ解放処理を行う（ステップＳ２１００）。
【０１１７】
次にＵＥ１２２の処理部１７０２は、前述のＤＲＢ解放処理において、前述のＤＲＢ識別子リストに含まれる、ＤＲＢ識別子のうち、ＵＥ１２２の現在の設定の一部である各ＤＲＢ識別子に対し、該当するＤＲＢ識別子に対応するＰＤＣＰエンティティを解放する（ステップＳ２１０２）。更にステップＳ２１０２の動作に引き続き、前述のＲＲＣ再設定メッセージに同期を伴う再設定である事を示す情報が含まれている場合、即ち該当処理が同期を伴う再設定によりトリガーされた場合には、同期を伴う再設定が成功した後に解放した無線ベアラ情報の下位レイヤへの通知、及びＳＤＡＰエンティティの再設定を行う。また前述のＲＲＣ再設定メッセージに同期を伴う再設定である事を示す情報が含まれていない場合、即ち該当処理が同期を伴う再設定によりトリガーされていない場合には、直ちに該当するＤＲＢ識別子に対応するＳＤＡＰエンティティを再設定し、解放したＤＲＢに関する情報を下位レイヤに通知する（ステップＳ２１０４）。なお、下位レイヤをＳＤＡＰレイヤと言い換えても良い。
【０１１８】
なおステップＳ２１０２及びステップＳ２１０４において、ＳＤＡＰエンティティの再設定は解放するＤＲＢ識別子リストに含まれる全てのＤＲＢ識別子に対応するＤＲＢの解放に対し、一度のみ行われても良い。また、解放したＤＲＢに関する情報を下位レイヤに通知する、とは解放したＤＲＢのＤＲＢ識別子であっても良い。また下位レイヤとはＳＤ
ＡＰレイヤであっても良い。また、ＳＤＡＰエンティティの再設定、又は解放したＤＲＢに関する情報の下位レイヤへの通知のどちらか一方が行われても良い。またＤＲＢはＳＲＢであっても良く、またＳＲＢとＤＲＢを区別せず無線ベアラと言い換えても良い。またＳＤＡＰの再設定は、ＳＤＡＰの再確立と言い換えても良い。また、ＳＤＡＰエンティティに関連している全てのＤＲＢが解放された場合には、ＳＤＡＰエンティティを解放、または再確立しても良い。
【０１１９】
また、図１８のＳＤＡＰ設定を示す情報の中に、解放するＤＲＢ識別子リスト、又解放するＤＲＢ識別子のリストが判断できる情報を含んでも良い。この場合、ステップＳ２１０２及びステップＳ２１０４において、解放したＤＲＢに関する情報を下位レイヤに通知せず、ＳＤＡＰエンティティの再設定のみ行っても良い。
【０１２０】
また、図１８のＳＤＡＰ設定を示す情報の中の、ｍａｐｐｅｄＱｏＳ−ＦｌｏｗｓＴｏＲｅｌｅａｓｅで示される情報に、解放するＤＲＢ識別子リストに含まれるＤＲＢ識別子に対応している全てのＱＦＩの情報を含んでも良い。この場合、ステップＳ２１０２及びステップＳ２１０４において、解放したＤＲＢに関する情報を下位レイヤに通知せず、ＳＤＡＰエンティティの再設定のみ行っても良い。またこの際、ＳＤＡＰレイヤから、解放したＱＦＩの情報をＲＲＣレイヤに通知しても良い。
【０１２１】
なお本実施の形態４におけるＳＤＡＰの再設定は、図１８のＳＤＡＰ設定を示す情報の中にＳＤＡＰエンティティを再設定する事を示す情報が含まれていた場合に、再設定されても良い。なお、再設定は再確立であっても良い。
【０１２２】
このように、本発明の実施の形態４では、端末装置は、プロトコル処理の複雑さを軽減し、効率的に通信を行うことができる。
【０１２３】
なお、本発明の実施の形態におけるＤＲＢ設定は、ＲＲＣコネクション再設定手順だけでなく、ＲＲＣ確立（ＲＲＣ  Ｅｓｔａｂｌｉｓｈｍｅｎｔ）手順や、ＲＲＣ再確立（ＲＲＣ  Ｒｅ−Ｅｓｔａｂｌｉｓｈｍｅｎｔ）手順に含まれていても良い。
【０１２４】
また、本発明の実施の形態において「ＬＴＥ  ＰＤＣＰ」と記述したが、非特許文献４に記載のＬＴＥ用ＲＲＣエンティティにて設定するＰＤＣＰである事が明確である場合には、ＬＴＥは付けず、「ＰＤＣＰ」としても良い。  
【０１２５】
また本発明の各実施の形態において、ＳＤＡＰの上位レイヤとはＮＡＳ（Ｎｏｎ  Ａｃｃｅｓｓ  Ｓｔｒａｒｕｍ）であっても良い。またＲＲＣの上位レイヤとはＮＡＳであっても良い。
【０１２６】
また、本発明の各実施の形態において、フル設定が適用される事を示す情報とは、ＤＲＢが解放された後追加される事を示す情報と置き換えられても良いし、ＥＰＳベアラを保持している事を示す情報であっても良い。またＥＰＳベアラを保持したまま、このＥＰＳベアラに対応するＤＲＢ解放及び追加が行われる事を示す情報であれば、他の名称を持つ情報であっても良い。
【０１２７】
また、本発明の各実施の形態において、ＰＤＣＰバージョンチェンジである事を示す情報とは、ＤＲＢが解放された後追加される事を示す情報と置き換えられても良いし、ＥＰＳベアラを保持している事を示す情報であっても良い。またＥＰＳベアラを保持したまま、このＥＰＳベアラに対応するＤＲＢ解放及び追加が行われる事を示す情報であれば、他の名称を持つ情報であっても良い。
【０１２８】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１２９】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０１３０】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０１３１】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１３２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１３３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【０１３４】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
５００、１７００  受信部
５０２、９０２、１７０２、２２０２  処理部
９００、２２００  送信部
【図１】
2019197967.tif 000003
【図２】
2019197967.tif 000004
【図３】
2019197967.tif 000005
【図４】
2019197967.tif 000006
【図５】
2019197967.tif 000007
【図６】
2019197967.tif 000008
【図７】
2019197967.tif 000009
【図８】
2019197967.tif 000010
【図９】
2019197967.tif 000011
【図１０】
2019197967.tif 000012
【図１１】
2019197967.tif 000013
【図１２】
2019197967.tif 000014
【図１３】
2019197967.tif 000015
【図１４】
2019197967.tif 000016
【図１５】
2019197967.tif 000017
【図１６】
2019197967.tif 000018
【図１７】
2019197967.tif 000019
【図１８】
2019197967.tif 000020
【図１９】
2019197967.tif 000021
【図２０】
2019197967.tif 000022
【図２１】
2019197967.tif 000023
【図２２】
2019197967.tif 000024